(57)【要約】【課題】同じシミュレ−ションシステムを複数人の運転訓練員で共用し、夫々が異なる時間帯にシミュレ−ション訓練をする場合がある。このような場合は、後からシミュレ−ション訓練した内容を保存する場合、先に訓練し保存されているシミュレ−ション内容に誤って上書きしてしまうなど、不特定多数の運転訓練員で利用するには馴染まない面がある。【解決手段】シミュレ−ション内容をファイルに記録するプラント運転訓練用シミュレ−タシステムにおいて、ユ−ザ受付処理機能３０１により複数人のユ−ザを個々に特定して前記ファイルが個別に割り当てられて確保され、各ユ−ザによるシミュレ−ション内容が前記各ユ−ザに個別に割り当てられて確保されたファイル３０３Ａ〜３０３Ｃに記録されるプラント運転訓練用シミュレ−タシステム。【選択図】        図１
2004198825.tif 000002
【特許請求の範囲】
【請求項１】
シミュレ−ション内容をファイルに記録するプラント運転訓練用シミュレ−ションシステムにおいて、ユ−ザ受付処理機能により複数人のユ−ザを個々に特定して前記ファイルが個別に割り当てられて確保され、各ユ−ザによるシミュレ−ション内容が前記各ユ−ザに個別に割り当てられて確保されたファイルに記録されることを特徴とするプラント運転訓練用シミュレ−ションシステム。
【発明の詳細な説明】
【０００１】
【発明の属する技術分野】
この発明は、例えば、火力発電プラント、水力発電プラント、一般産業プラント等の所謂プラントの運転訓練用シミュレ−ションシステムに関するものである。
【０００２】
【従来の技術】
従来の前述のようなプラントの運転訓練用シミュレ−ションシステムは、例えば特開昭５８-１４４２４０号公報に示されているように、シミュレ−ション内容はメモリ（ファイル）に保存できるようになっている。また、シミュレ−ションを中断した場合は、中断までのシミュレ−ション内容をメモリ（ファイル）に保存し、シミュレ−ションを再開する場合は、前記中断するまでのシミュレ−ション内容を前記メモリ（ファイル）から読み取り再現して表示し、引き続きシミュレ−ションを継続して行う。また、シミュレ−ションを終えた場合も、その後、シミュレ−ション内容を表示する場合もある。
【０００３】
【特許文献１】
特開昭５８-１４４２４０号公報（第２ペ−ジの実施例の説明の欄）
【特許文献２】
特開平３-１７７８８０号公報（図１及びその説明（第２ペ−ジ差欄））
【０００４】
【発明が解決しようとする課題】
実際のシミュレ−ション訓練においては、同じシミュレ−ションシステムを複数人の運転訓練員で共用し、夫々が異なる時間帯にシミュレ−ション訓練をする場合がある。このような場合は、後からシミュレ−ション訓練した内容を保存する場合、先に訓練し保存されているシミュレ−ション内容に誤って上書きしてしまうなど、不特定多数の運転訓練員で利用するには馴染まない面がある。
【０００５】
この発明は、前述のような従来の実情に鑑みてなされたもので、同じシミュレ−ションシステムを複数人の運転訓練員で共用するような場合、或る運転訓練員のシミュレ−ション訓練の保存内容に、他の運転訓練員のシミュレ−ション内容を誤って上書きしてしまうようなことの無いようにして不特定多数の運転訓練員での使用に耐え得るようにすることを目的とするものである。
【０００６】
【課題を解決するための手段】
この発明によるプラント運転訓練用シミュレ−ションシステムは、シミュレ−ション内容をファイルに記録するプラント運転訓練用シミュレ−ションシステムにおいて、ユ−ザ受付処理機能により複数人のユ−ザを個々に特定して前記ファイルが個別に割り当てられて確保され、各ユ−ザによるシミュレ−ション内容が前記各ユ−ザに個別に割り当てられて確保されたファイルに記録されるものである。
【０００７】
【発明の実施の形態】
実施の形態１．
以下、この発明の実施の形態１を図１に基づいて説明する。図１はシステム構成の一例を３人の運転訓練員を対象とした場合を示す図で、同図において、運転訓練員がプラント運転のシミュレ−ション訓練を行う際に操作するＨＭＩ(Human−Machine  Interface)１ａ，１ｂが、伝送路２によりシミュレ−ションサ−バ３に接続されている。
【０００８】
前記シミュレ−ションサ−バ３は、プラントのシミュレ−ション計算を実行するもので、ユ−ザ受付処理機能３０１と、シミュレ−ション処理機能３０２と、前記ユ−ザ受付処理機能３０１により複数人のユ−ザ（運転訓練員）を個々に特定して各ユ−ザ（運転訓練員）に個別に割り当てられる複数のファイル３０３Ａ，３０３Ｂ，３０３Ｃを備えている。即ち、前記ファイル３０３Ａはユ−ザ（運転訓練員）Ａに、前記ファイル３０３Ｂはユ−ザＢ（運転訓練員）に、前記ファイル３０３Ｃはユ−ザ（運転訓練員）Ｃに、夫々個別に割り当てられている。
【０００９】
なお、この発明の実施の形態１においては、前記ユ−ザ受付処理機能３０１のユ−ザ受付処理プログラムと、前記シミュレ−ション処理機能３０２のシミュレ−ション処理プログラムとは、前記シミュレ−ションサ−バ３の共通メモリの異なる領域に格納され、これら各プログラムは共通のＣＰＵで実行される。
【００１０】
次に動作について説明する。ユ−ザ（運転訓練員）がプラント運転のシミュレ−ション訓練を開始するには、先ず、ＨＭＩ１ａ或いは１ｂから自分のユ−ザ名を入力する。そのユ−ザ名の入力情報が伝送路２を経由してユ−ザ受付処理機能３０１に伝わる。ユ−ザ受付処理機能３０１では、ユ−ザ名に応じてシミュレ−ション内容を記録するためのファイル３０３Ａ，３０３Ｂ，３０３Ｃを個別に割り当てて確保する。
【００１１】
プラント運転のシミュレ−ション訓練の開始、中断、シミュレ−ション内容の前記ファイルへの記録等の指示も、前記と同様にＨＭＩ１ａ或いは１ｂからユ−ザ名を入力した後に指示を入力し、ユ−ザ受付処理機能３０１を介してシミュレ−ション処理機能３０２に伝わる。シミュレ−ション処理機能３０２では、プラントプラント運転状態を模擬する計算を行い、ＨＭＩ１ａ或いは１ｂからシミュレ−ション状態の保存の要求があれば、その要求したユ−ザ（運転訓練員）に割り当てて確保したファイルに保存する。即ち、シミュレ−ション訓練中のユ−ザ（運転訓練員）Ａからシミュレ−ション状態の保存の要求があれば、ユ−ザ（運転訓練員）Ａに割り当てて確保したファイル３０３Ａに保存する。同様に、シミュレ−ション訓練中のユ−ザ（運転訓練員）Ｂからシミュレ−ション状態の保存の要求があれば、ユ−ザ（運転訓練員）Ｂに割り当てて確保したファイル３０３Ｂに保存し、ユ−ザ（運転訓練員）Ｃから要求があればファイル３０３Ｃに保存する。
【００１２】
前記ファイルへの保存とは逆に、ファイルに保存したシミュレ−ション状態の復元の要求がＨＭＩ１ａ或いは１ｂからユ−ザ名を入力した後にあれば、その要求はユ−ザ受付処理機能３０１を介してシミュレ−ション処理機能３０２に伝わり、その要求をしたユ−ザ（運転訓練員）のファイルから復元を行う。即ち、ユ−ザ（運転訓練員）Ａから前記復元の要求があればファイル３０３Ａから復元し、同様に、ユ−ザ（運転訓練員）Ｂから要求があればファイル３０３Ｂから、ユ−ザ（運転訓練員）Ｃから要求があればファイル３０３Ｃから、復元を行う。
【００１３】
前述のこの発明の実施の形態１のシステム構成及びその動作説明のように、複数人のユ−ザ（運転訓練員）が、各人の訓練中のシミュレ−ション状態を、他のユ−ザ（運転訓練員）に割り当てて確保されたファイルにアクセスすることなく、自分に割り当てて確保されたファイルのみにアクセスして、保存・参照することが可能となる。
【００１４】
実施の形態２．
前述のこの発明の実施の形態１においては、シミュレ−ション処理機能３０２をシミュレ−ションサ−バ３内に１つ備えている場合について例示してあるが、図２に示すように、複数個のシミュレ−ション処理機能３０２Ａ，３０２Ｂ，・・・を設けることにより、複数人のユ−ザ（運転訓練員）が、同時に、プラント運転のシミュレ−ション訓練を行うことができると共に、同時に、複数人のユ−ザ（運転訓練員）からの前記要求に応えることが可能となる。
【００１５】
なお、前記複数個のシミュレ−ション処理機能３０２Ａ，３０２Ｂ，・・・の各シミュレ−ション処理プログラムは、前記シミュレ−ションサ−バ３の共通メモリの異なる領域に格納され、これら各シミュレ−ション処理プログラムは共通のＣＰＵで実行される。
【００１６】
実施の形態３．
前述のこの発明の実施の形態１及び２においては、ユ−ザ受付処理機能３０１とシミュレ−ション処理機能３０２，３０２Ａ，３０２Ｂ，・・・とを同一のシミュレ−ションサ−バ３内に設けた場合を例示してあるが、図３に示すように、シミュレ−ション処理機能３０２Ａはシミュレ−ションサ−バ３Ａに、シミュレ−ション処理機能３０２Ｂは、前記シミュレ−ション処理機能３０２Ａとは別のミュレ−ションサ−バ３Ｂに、それぞれ設け、また、ユ−ザ受付処理機能３０１は前記複数個のシミュレ−ション処理機能３０２Ａ，３０２Ｂ，・・・に共通に利用するため、前記シミュレ−ションサ−バ３Ａ，３Ｂとは別のプロキシ３Ｐに設けてある。
【００１７】
前述の図３のように構成し、ユ−ザ受付処理機能３０１にて、負荷の低いシミュレ−ションサ−バでシミュレ−ション処理機能を起動することにより、前述のこの発明の実施の形態１及び２に比べてより多くのユ−ザ（運転訓練員）からのシムレ−ションの同時要求（多くのシムレ−ションが時間的に重なることを言う）に応えることが可能となる。
【００１８】
実施の形態４．
前述のこの発明の実施の形態１〜３においては、シミュレ−ションサ−バ３，３Ａ，３Ｂ側でシミュレ−ション処理機能３０２，３０２Ａ，３０２Ｂ，・・・を起動し、ユ−ザ（運転訓練員）の要求に応えるような構成としていたが、図４に示すように、シミュレ−ションサ−バ３のシミュレ−ション処理機能３０２のシミュレ−ション処理プログラムを伝送路２を介してＨＭＩ１ａ，１ｂのメモリに転送し、転送されたＨＭＩ１ａ，１ｂでシミュレ−ション処理プログラムを実行することも可能である。
【００１９】
前述の図４のように構成することにより、多くのユ−ザ（運転訓練員）からのシムレ−ションの同時要求があった場合にもシミュレ−ションサ−バ３の負荷を軽減できると共に、ＨＭＩ１ａ，１ｂでシミュレ−ション処理プログラムが実行されることから、シミュレ−ション中の伝送遅れや伝送障害の影響が無く、シミュレ−ション結果が速く確実に得られることも期待できる。
【００２０】
実施の形態５．
前述のこの発明の実施の形態４においては、シミュレ−ションサ−バ３からＨＭＩ１ａ，１ｂにシミュレ−ション処理プログラムを転送する際に、シミュレ−ション処理プログラムをそのままで転送するように構成している場合を例示してあるが、図５に示すように、シミュレ−ションサ−バ３内のデ−タ圧縮処理機能４で圧縮したシミュレ−ション処理プログラムを、伝送路２を介してＨＭＩ１ａ，１ｂに転送後、ＨＭＩ１ａ，１ｂ内のデ−タ解凍処理機能５で解凍し、シミュレ−ション処理プログラムを実行するように構成することも可能である。
【００２１】
前述の図５のように構成することにより、ユ−ザ（運転訓練員）からのシムレ−ション開始要求に対し、速い応答が期待できる。
【００２２】
【発明の効果】
この発明はシミュレ−ション内容をファイルに記録するプラント運転訓練用シミュレ−ションシステムにおいて、ユ−ザ受付処理機能により複数人のユ−ザ（運転訓練員）を個々に特定して前記ファイルが個別に割り当てられて確保され、各ユ−ザによるシミュレ−ション内容が前記各ユ−ザに個別に割り当てられて確保されたファイルに記録されるので、同じシミュレ−ションシステムを複数人のユ−ザ（運転訓練員）で共用するような場合、或るユ−ザ（運転訓練員）のシミュレ−ション訓練の保存内容に、他のユ−ザ（運転訓練員）のシミュレ−ション内容を誤って上書きしてしまうようなことの無いようにして、不特定多数のユ−ザ（運転訓練員）での使用に耐え得るプラント運転訓練用シミュレ−ションシステムとすることができる効果がある。
【図面の簡単な説明】
【図１】この発明の実施の形態１を示すシステム構成図。
【図２】この発明の実施の形態２を示すシステム構成図。
【図３】この発明の実施の形態３を示すシステム構成図。
【図４】この発明の実施の形態４を示すシステム構成図。
【図５】この発明の実施の形態５を示すシステム構成図。
【符号の説明】
１ａ，１ｂ  ＨＭＩ、              ２  伝送路、
３，３Ａ，３Ｂ  シミュレ−ションサ−バ、
３Ｐ  プロキシ、                    ３０１  ユ−ザ受付処理機能、
３０２，３０２Ａ，３０２Ｂ  シミュレ−ション処理機能、
３０３Ａ〜３０３Ｄ  ファイル、      ４  デ−タ圧縮処理機能、
５  デ−タ解凍処理機能。
【図１】
2004198825.tif 000003
【図２】
2004198825.tif 000004
【図３】
2004198825.tif 000005
【図４】
2004198825.tif 000006
【図５】
2004198825.tif 000007